(57)【要約】【課題】材料の調達や管理の煩わしさをなくし、とり木作業を容易に行うことができるとり木用具を提供を提供する。【解決手段】小さな通気孔が多数穿設され、とり木用土１が充填されたポリエチレン製のとり木用土袋２と軟質塩化ビニルフィルム（不透水性合成樹脂フィルム）３が溶着連結され、軟質塩化ビニルフィルム３の裏面３２側には、とり木用土袋２から離隔した部分に粘着テープ４が貼着され、その表面には離型紙５が剥がされずに残されている。軟質塩化ビニルフィルム３の表面３１側の上下部分に、針金６が溶着部７により溶着してとりつけられている。【選択図】図３
0003115257.tif 000002
【実用新案登録請求の範囲】
【請求項１】
通気性を有し、とり木用土が充填されたとり木用土袋と、不透水性合成樹脂フィルムとが連結され、不透水性合成樹脂フィルムのとり木用土袋から離隔した部分の片面に、剥離層を有する粘着テープが貼着され、不透水性合成樹脂フィルムの粘着テープが貼着されていない面の上下部分に、緊締具がとりつけられていることを特徴とするとり木用具。
【請求項２】
小さな通気孔が多数穿設され、とり木用土が充填されたとり木用土袋と軟質塩化ビニルフィルムが溶着により連結され、軟質塩化ビニルフィルムのとり木用土袋から離隔した部分の片面に粘着テープが貼着され、粘着テープの表面には離型紙が貼着されており、軟質塩化ビニルフィルムの他面の上下部分に、両端部を自由とされた針金の中間部が溶着もしくは接着によりとりつけられていることを特徴とするとり木用具。
【考案の詳細な説明】
【技術分野】
【０００１】  本考案は木の幹や枝の一部から発根させ、親株から切り離して新しい苗木にする繁殖法であるとり木に使用されるとり木用具に関する。
【背景技術】
【０００２】  とり木の方去としては幹や枝の一部を剥皮し、剥皮部を保護して発根させることが行われている。その際剥皮部、すなわちとり木部の周囲に、ミズゴケ、赤玉土、鹿沼土、炭、パーライトなどのとり木用土を団子状にしてあてがい、とり木用土を湿潤状態に保っておけるようにその外側を不透水性の合成樹脂フィルムで覆って、周囲をひも、針金、縄などの緊締具で縛り固定する方法が行われている。
【考案の開示】
【考案が解決しようとする課題】
【０００３】  しかし、上記のような従来のとり木用材料と方法によってとり木をするには、とり木用土、通気性を有する合成樹脂フィルム、不透水性の合成樹脂フィルム、ひも・針金・縄などの緊締具などをそれぞれ手落ちなく用意しなければならず、材料の調達・保管・管理が煩雑である。
また、とり木作業の実施に際しては、とり木用土を団子状にして剥皮部にあてがい、通気性の合成樹脂フィルムで覆い、さらにその外側を不透水性の合成樹脂フィルムで覆い、とり木用土の重量を手で支えながら、外周に縄を巻きつけたり、あるいはその下部、次いで上部をひもや針金などの緊締具で縛って固定するというような方法が行われているが、作業がやりにくく、煩雑で、手間と時間がかかるといった問題がある。
本考案は上記のような欠点を解消するために、材料の調達・運搬・保管・管理などを容易にし、且つとり木作業を容易に行うことのできるとり木用具を提供しようとするものである。
【課題を解決するための手段】
【０００４】  本考案は、通気性を有する袋にとり木用土を充填したとり木用土袋と、不透水性合或樹脂フィルムが一体に連結され、不透水性合成樹脂フィルムのとり木用土袋から離隔した部分の片面に、剥離層（離型紙）を有する粘着テープが貼着され、不透水性合成樹脂フィルムの粘着テープが貼着されていない面の上下部分に、緊締具が取りつけられているものである。【０００５】  通気性を有する袋は小さな通気孔が多数穿設された合成樹脂製の袋で、不透水性合成樹脂フィルムの１側辺に溶着により一体に連結され、不透水性合成樹脂フィルムの、とり木用土袋から離隔した部分の片面には粘着テープが貼着されており、粘着テープの表面には剥離紙が貼着されている。
そして、不透水性合成樹脂フィルムの粘着テープが貼着されていない面の上下部分には、針金、ひも、野菜の結束バンド、ファスナなどの緊締具が、溶着、粘着テープ、ステープラなどによって取りつけられている。
【考案の効果】
【０００６】  上記のように、本考案のとり木用具は、通気性を有する袋にとり木用土が充填されており、とり木用土袋と不透水性合成樹脂フィルムが連結され、不透水性合成樹脂フィルムには片面に剥離層（離型紙）を有する粘着テープが貼着され、且つ不透水性合成樹脂フィルムの上下部分には緊締具がとりつけられているので、材料を個別に手配する煩わしさがない。【０００７】  また、とり木作業を実施するに当っては、とり木用土袋を剥皮部にあてがい、次いで不透水性の合成樹脂フィルムをそのまま巻きつけながら剥皮部を覆い、粘着テープによって不透水性合成樹脂フィルムの端部を仮り止めし、自由になった手で不透水性合成樹脂フィルムの上下を緊締具で縛って固定すればよいから、作業が簡単、容易で時間がかからず、未熟練者でも容易に行うことができる。【０００８】  なお、粘着テープは剥離紙を剥がすまでは表面が剥離紙で覆われていて、粘着テープが不用意にとり木用土袋や不透水性合成樹脂フィルムなどにくっついたりして不都合を生じることがない。
【考案を実施するための最良の形態】
【０００９】  とり木用土袋は、厚さが０．０２ｍｍ乃至０．０５ｍｍのポリエチレン、ポリプロピレン、軟質塩化ビニル、不織布などの合成樹脂製の袋であることが好ましい。袋には小さな孔が多数あけられており、内部にとり木用土が入れられた後溶着等によって周囲がシールされている。また、不透水性合成樹脂フィルムは、厚さが０．０５ｍｍ乃至０．２ｍｍのポリエチレン、軟質塩化ビニルなどの合成樹脂フィルムであるこどが好ましく、その大きさは上下方向及び横方向の寸法ががとり木用土袋を充分に包みこむことができ、更にその上下部分を緊締具で縛ることができるものである。【００１０】  不透水性合成樹脂フィルムの裏面には、とり木用土袋から隔たった部分に、剥離層を有する粘着テープが貼着されており、粘着テープの表面には剥離紙が貼着されている。つまり、両面粘着テープの片面が不透水性合成樹脂フィルムに貼着され、両面粘着テープの他の片面には離型紙が剥がされずに残されている。緊締具は安価で取り扱いが容易な針金が好ましい。
【実施例】
【００１１】  以下、添付図面に従って一実施例を説明する。とり木用土１は小さな通気孔が多数穿設されたポリエチレン製のとり木用土袋２に詰められ、その周囲が溶着によってシールされている。とり木用土袋２は、厚さがとり木用土袋２よりも厚手の軟質塩化ビニルフィルム３（不透水性合成樹脂フィルム）に溶着されて連結されている。軟質塩化ビニルフィルム３にはその裏面３２に粘着テープ４が貼着され、粘着テープ４の表面には離型紙５が剥がされずにそのまま残されている。【００１２】  そして、軟質塩化ビニルフィルム３の粘着テープ４が貼着されていない反対の表面３１側には、上下端から３ｃｍ乃至６ｃｍくらいのところに針金６の一部が溶着部７によって取り付けられ、各針金６は溶着部７の両端が自由端とされていて、軟質塩化ビニルフィルム３で覆われているとり木用土袋２の周囲に巻きつけ、両端同士をねじり合わせて連結することができる。【００１３】  次に、本考案の使用態様について説明する。とり木用土袋２を剥皮部８にあてがい、軟質塩化ビニルフィルム３をとり木用土袋２の上から巻きつけながら剥皮部８の周囲を覆う。次いで離型紙５を剥がして粘着テープ４の粘着面を露出させ、すでに巻きつけてられている軟質塩化ビニルフィルム３に粘着して仮り止めする。その後、自由になった手で軟質塩化ビニルフィルム３の下部、次いで上部に針金６を巻きつけ、両端同士をねじり合わせて縛り、とり木用土袋２を剥皮部８のまわりに固定する。
【図面の簡単な説明】
【００１４】
【図１】  本考案とり木用具の実施例を示す正面図。
【図２】  とり木用具の背面図。
【図３】  とり木用具の上面図。
【図４】  とり木用具の使用状態を示す説明図。
【符号の説明】
【００１５】      １      とり木用土
２      とり木用土袋
３      軟質塩化ビニルフィルム（不透水性合成樹脂フィルム）
３１  表面
３２  裏面
４      粘着テープ
５      離型紙
６      針金
７      溶着部
８      剥皮部
【図１】
0003115257.tif 000003
【図２】
0003115257.tif 000004
【図３】
0003115257.tif 000005
【図４】
0003115257.tif 000006
【手続補正書】
【提出日】平成17年7月15日(2005.7.15)
【手続補正１】
【補正対象書類名】実用新案登録請求の範囲
【補正対象項目名】請求項２
【補正方法】変更
【補正の内容】
【請求項２】
小さな通気孔が多数穿設され、とり木用土が充填されたとり木用土袋と軟質塩化ビニルフィルムが溶着もしくは接着により連結され、軟質塩化ビニルフィルム、ポリエチレンフィルムもしくはポリプロピレンフィルムなどの不透水性合成樹脂フィルムの、とり木用土袋から離隔した部分の片面に粘着テープが貼着されており、不透水性合成樹脂フィルムの他面の上下部分に、両端部を自由とされた針金の中間部が溶着もしくは接着によりとりつけられていることを特徴とする、請求項１記載のとり木用具。
【手続補正２】
【補正対象書類名】明細書
【補正対象項目名】０００５
【補正方法】変更
【補正の内容】
【０００５】  通気性を有する袋は小さな通気孔が多数穿設された合成樹脂製の袋で、不透水性合成樹脂フィルムの一側辺に溶着、接着、ステープラなどにより一体に連結され、不透水性合成樹脂フィルムの、とり木用土袋から離隔した部分の片面には、粘着テープが貼着されており、粘着テープの表面には離型紙が貼着されている。
【手続補正３】
【補正対象書類名】明細書
【補正対象項目名】０００７
【補正方法】変更
【補正の内容】
【０００７】  とり木作業を実施するに当っては、とり木用土袋を剥皮部にあてがい、粘着テープ表面の離型紙を剥がして、不透水性の合成樹脂フィルムを巻きつけながら剥皮部を覆い、粘着テープによって不透水性合成樹脂フィルムを仮止めし、自由になった手で不透水性合成樹脂フィルムの上下を緊締具で縛って固定すればよいから、作業が簡単、容易で時間がかからず、未熟練者でも容易に行うことができる。
【手続補正４】
【補正対象書類名】明細書
【補正対象項目名】０００８
【補正方法】変更
【補正の内容】
【０００８】  なお、離型紙はその部分が手元に近づいてから剥がせばよく、それまでは離型紙を剥がさずに残しておくようにする。これによって、粘着テープが不用意にとり木用土袋や不透水性合成樹脂フィルムなどにくっついたりするようなトラブルが防止される。
【手続補正５】
【補正対象書類名】明細書
【補正対象項目名】００１０
【補正方法】変更
【補正の内容】
【００１０】  不透水性合成樹脂フィルムの裏面には、とり木用土袋から隔たった部分に、剥離層を有する粘着テープが貼着されており、粘着テープの表面には離型紙が貼着されている。すなわち、両面粘着テープの片面が不透水性合成樹脂フィルムに貼着され、両面粘着テープの他の片面には表面の離型紙が剥がされずに残されている。緊締具は安価で取り扱いが容易な針金が好ましい。